(57)【特許請求の範囲】
【請求項１】
下記の一般式（Ｉ）で表される化合物及び下記一般式（II）で表わされるスルホ置換ビストリアジン化合物からなる群から選ばれる少なくとも１つの化合物を含有することを特徴とするハロゲン化銀カラー写真感光材料用処理組成物。
【化１】
0004187937.tif 000032
式中Ｌ1、Ｌ2は、それぞれ独立に置換または無置換の、アルコキシ基、アリールオキシ基、アルキルアミノ基、ジアルキルアミノ基、ヘテロ環基で置換されたアミノ基、５もしくは６員の芳香族もしくは非芳香族の含窒素ヘテロ環化合物から窒素原子に結合した１個の水素原子を取り除いた１価の基；或いはヒドロキシル基、無置換アミノ基、ハロゲン、またはスルホ基を表す。Ｙは置換または無置換の、フェニレン基またはナフチレン基を表す。Ｍは水素原子、アルカリ金属、アルカリ土類金属、アンモニウムまたはピリジニウムを表わす。
【化２】
0004187937.tif 000033
式中Ｌ3、Ｌ4は、それぞれ独立に置換または無置換の、アルコキシ基、アリールオキシ基、アルキルアミノ基、ジアルキルアミノ基、アリールアミノ基、ヘテロ環基で置換されたアミノ基、５もしくは６員の芳香族もしくは非芳香族の含窒素ヘテロ環化合物から窒素原子に結合した１個の水素原子を取り除いた１価の基；或いはヒドロキシル基、無置換アミノ基、ハロゲン、またはスルホ基を表す。Ｍは水素原子、アルカリ金属、アルカリ土類金属、アンモニウムまたはピリジニウムを表わす。
【請求項２】
一般式（Ｉ）のＬ1とＬ2の少なくとも一方が、これらの基の置換基中にヒドロキシル基及び／またはエーテル型酸素原子を有し、及び/または一般式（II）のＬ3とＬ4の少なくとも一方が、これらの基の置換基中にヒドロキシル基及び／またはエーテル型酸素原子を有することを特徴とする請求項１に記載のハロゲン化銀カラー写真感光材料用処理組成物。
【請求項３】
一般式（Ｉ）のＬ1とＬ2の少なくとも一方が、これらの基の置換基としてカルボキシル基またはスルホ基を有し、及び/または一般式（II）のＬ3とＬ4の少なくとも一方が、これらの基の置換基としてカルボキシル基またはスルホ基を有することを特徴とする請求項１に記載のハロゲン化銀カラー写真感光材料用処理組成物。
【請求項４】
漂白処理または漂白定着処理に用いられることを特徴とする請求項１から請求項３のいずれか１項に記載された写真処理組成物。
【請求項５】
定着処理に用いられることを特徴とする請求項１から請求項３のいずれか１項に記載された写真処理組成物。
【請求項６】
請求項１から請求項５のいずれか１項に記載のハロゲン化銀写真感光材料用処理組成物を用いることを特徴とする画像形成方法。
【発明の詳細な説明】
【０００１】
【発明の属する技術分野】
本発明はハロゲン化銀カラー写真感光材料用処理組成物に関し、特に処理後において感光材料の残留増感色素に起因するステインを低減する作用に優れ、かつ処理組成物の低温保存時において析出沈殿物の生じない組成物に関する。
【０００２】
【従来の技術】
デジタルカメラやカラープリンターの目覚しい進歩の中で、ハロゲン化銀カラー写真感光材料の処理においては、高品質の画像を速やかに顧客に提供することが望まれている。しかし従来の処理方法の単なる時間短縮では感光材料中の増感色素が十分洗い出される前に処理が終了することになるため、カラープリントの白地部分において残留した多量の増感色素により画像が着色され鑑賞に耐え難くなった。またカラーネガティブフィルムにおいても最小濃度部の濃度が増加することによりカラーバランスが崩れ適正なプリントが提供できない事態を生じた。
【０００３】
さらに近年、高感度な撮影用感光材料において重要な基本技術である平板状ハロゲン化銀粒子の使用は、単位体積あたり用いる増感色素量を多くできることから感度及び感度−粒状比の向上という効果をもたらす一方、処理後の感光材料に残留する増感色素量の増加させている。処理条件によっては、残留増感色素量の増加は無視できなくなり、カラーネガティブフィルムの最小濃度部の濃度増加やカラーリバーサルフイルムのハイライト部が着色する現象を生じている。
【０００４】
リサーチディスクロージャー２０７３３号には増感色素に起因する残色を除去する方法の一例としてビストリアジニルアミノスチルベンジスルホン酸化合物を用いる方法が開示されており、この方法はカラー写真感光材料の処理において広く用いられてきた。特開平６−３２９９３６号には溶解性に優れかつ時間短縮を短縮した処理でも残色を低減できるビストリアジニルアミノスチルベンジスルホン酸化合物が開示されている。また米国特許第６，１５３，３６４号には平面π電子系をもつ特定の化合物を用いた残色低減方法が提案されている。
【０００５】
しかし廃容器の低減やリサイクル性の向上または運搬、保管コストの削減等の理由による処理組成物のさらなる濃縮化が望まれており、  濃縮化された高塩濃度下でも安定に溶解し、その溶解度以下で用いた場合に時間を短縮した処理においても十分な効果を示し、かつ保管時の化合物安定性に優れた化合物は見出されていなかった。
【０００６】
【発明が解決しようとする課題】
したがって本発明の目的は、処理後において感光材料の残留増感色素に起因するステインの低減が達成され、かつ処理組成物の低温保存時において析出沈殿物の生じないハロゲン化銀カラー写真感光材料用処理組成物を提供することである。
【０００７】
【課題を解決するための手段】
前記の課題は、以下の発明により解決された。すなわち、
１．  下記の一般式（Ｉ）で表される化合物及び下記一般式（II）で表わされるスルホ置換ビストリアジン化合物からなる群から選ばれる少なくとも１つの化合物を含有することを特徴とするハロゲン化銀カラー写真感光材料用処理組成物。
【０００８】
【化３】
0004187937.tif 000002
【０００９】
式中Ｌ1、Ｌ2は、それぞれ独立に置換または無置換の、アルコキシ基、アリールオキシ基、アルキルアミノ基、ジアルキルアミノ基、ヘテロ環基で置換されたアミノ基、５もしくは６員の芳香族もしくは非芳香族の含窒素ヘテロ環化合物から窒素原子に結合した１個の水素原子を取り除いた１価の基；或いはヒドロキシル基、無置換アミノ基、ハロゲン、またはスルホ基を表す。Ｙは置換または無置換の、フェニレン基またはナフチレン基を表す。Ｍは水素原子、アルカリ金属、アルカリ土類金属、アンモニウムまたはピリジニウムを表わす。
【００１０】
【化４】
0004187937.tif 000003
【００１１】
式中Ｌ3、Ｌ4は、それぞれ独立に置換または無置換の、アルコキシ基、アリールオキシ基、アルキルアミノ基、ジアルキルアミノ基、アリールアミノ基、ヘテロ環基で置換されたアミノ基、５もしくは６員の芳香族もしくは非芳香族の含窒素ヘテロ環化合物から窒素原子に結合した１個の水素原子を取り除いた１価の基；或いはヒドロキシル基、無置換アミノ基、ハロゲン、またはスルホ基を表す。Ｍは水素原子、アルカリ金属、アルカリ土類金属、アンモニウムまたはピリジニウムを表わす。
【００１２】
２．  一般式（Ｉ）のＬ1とＬ2の少なくとも一方が、これらの基の置換基中にヒドロキシル基及び／またはエーテル型酸素原子を有し、及び/または一般式（II）のＬ3とＬ4の少なくとも一方が、これらの基の置換基中にヒドロキシル基及び／またはエーテル型酸素原子を有することを特徴とする上記１に記載のハロゲン化銀カラー写真感光材料用処理組成物。
３．  一般式（Ｉ）のＬ1とＬ2の少なくとも一方が、これらの基の置換基としてカルボキシル基またはスルホ基を有し、及び/または一般式（II）のＬ3とＬ4の少なくとも一方が、これらの基の置換基としてカルボキシル基またはスルホ基を有することを特徴とする上記１に記載のハロゲン化銀カラー写真感光材料用処理組成物。
４．  漂白処理または漂白定着処理に用いられることを特徴とする上記１から３のいずれか１項に記載された写真処理組成物。
５．  定着処理に用いられることを特徴とする上記１から３のいずれか１項に記載された写真処理組成物。
６．  上記１から５のいずれか１項に記載のハロゲン化銀写真感光材料用処理組成物を用いることを特徴とする画像形成方法。
【００１３】
【発明の実施の形態】
一般式（Ｉ）及び一般式（II）について詳しく説明する。
Ｌ1、Ｌ2、Ｌ3及びＬ4が、それぞれ置換してもよいアルコキシ基、アリールオキシ基、ヘテロ環基置換アミノ基、アルキルアミノ基、ジアルキルアミノ基の場合、並びにＬ3及びＬ4については更にアニリノ基である場合、これらは一般式（IIIa）〜（IIIｃ）のように表される。
【００１４】
【化５】
0004187937.tif 000004
【００１５】
式中、Ｒ1、Ｒ2、及びＲ3で表わされるアルキル基としては炭素数１〜２０、好ましくは１〜８、更に好ましくは１〜４の置換もしくは無置換のアルキル基であり、例えばメチル基、エチル基、ｉ−プロピル基、ｎ−プロピル基、２−メトキシエチル基が挙げられる。アルキル基は水溶性基をもつことが好ましく、該水溶性基の具体例としてはスルホ基、カルボキシル基、ヒドロキシル基、カルバモイル基、スルファモイル基が挙げられ、スルホ基、カルボキシル基及びヒドロキシル基が特に好ましい。このようなアルキル基の具体例としてはスルホメチル基、カルボキシメチル基、２−ヒドロキシエチル基、３−ヒドロキシプロピル基、２−ヒドロキシプロピル基、２−スルホエチル基、２−カルボキシエチル基、２−（２−ヒドロキシエトキシ）エチル基、２−[２−（２−ヒドロキシエトキシ）エトキシ]エチル基、２，３−ジヒドロキシプロピル基、３，４−ジヒドロキシブチル基、２，３，４，５，６−ペンタヒドロキシヘキシル基が挙げられる。
【００１６】
Ｒ1、Ｒ2、及びＲ3で表わされるアリール基としては 炭素数６〜２０、好ましくは６〜１０、さらに好ましくは６〜８の置換もしくは無置換のアリール基であり、例えばフェニル基、ナフチル基、４−メトキシフェニル基が挙げられる。アリール基は水溶性基をもつことが好ましく、その具体例としてはスルホ基、カルボキシル基、カルバモイル基、スルファモイル基が挙げられ、スルホ基及びカルボキシル基が特に好ましい。このようなアリール基の具体例としては３−カルボキシフェニル基、４−カルボキシフェニル基、３，５−ジカルボキシフェニル基、２−スルホフェニル基、４−スルホフェニル基、２、４−ジスルホフェニル基が挙げられる。
【００１７】
Ｒ1、Ｒ2、及びＲ3がカルボキシル基またはスルホ基を有する場合、これらはフリー体でも塩でもよく、この場合対塩は、アルカリ金属、アルカリ土類金属、アンモニウムまたはピリジニウムである。このうち最も好ましいものはナトリウムおよびカリウムである。
【００１８】
Ｒ1、Ｒ2、及びＲ3で表わされるヘテロ環基としては炭素数２〜２０の、好ましくは炭素数２〜１０、さらに好ましくは炭素数３〜８の置換もしくは無置換の、５または６員の芳香族もしくは非芳香族のヘテロ環化合物から１個の水素原子を取り除いた１価の基であり、例えば２−フリル基、２−チエニル基、２−ピリミジニル基、２−ベンゾチアゾリル基が挙げられる。
【００１９】
Ｌ1、Ｌ2、Ｌ3及びＬ4は、５または６員の芳香族もしくは非芳香族の含窒素ヘテロ環化合物から窒素原子に結合した１個の水素原子を取り除いた１価の基であってもよい。環の例としてはピロリジン環、ピペリジン環、ピペラジン環およびモルホリン環が含まれる。あるいはＬ1、Ｌ2、Ｌ3及びＬ4がアミノ基の水素原子が外れて連結したアミノ酸残基でもよく、ヒドロキシル基の水素原子が外れて連結したヒドロキシ有機酸残基でもよい。
【００２０】
一般式（Ｉ）においてＹで表わされる置換または無置換の、フェニレン基またはナフチレン基としては炭素数６〜２０、好ましくは６〜１５、さらに好ましくは６〜１１の置換または無置換のフェニレン基またはナフチレン基であり例えば１，４−フェニレン、１，３−フェニレン、１，２−フェニレン、１，５−ナフチレン、１，８−ナフチレン、４−カルボキシ−１，２−フェニレン、５−カルボキシ−１，３−フェニレン、３−スルホ−１，４−フェニレン、５−スルホ−１，３−フェニレン、２，５−ジメトキシ１，４−フェニレン、２，６−ジクロロー１，４−フェニレンが挙げられる。
【００２１】
Ｙとして好ましくは１，４−フェニレン、１，３−フェニレン、１，２−フェニレン、１，５−ナフチレン、５−カルボキシ−１，３−フェニレン、５−スルホ−１，３−フェニレンであり、さらに好ましくは１，４−フェニレン、１，３−フェニレンである。
【００２２】
以下に本発明の化合物の具体例を挙げるが、本発明はこれらに限定されない。
【００２３】
【化６】
0004187937.tif 000005
【００２４】
【化７】
0004187937.tif 000006
【００２５】
【化８】
0004187937.tif 000007
【００２６】
【化９】
0004187937.tif 000008
【００２７】
【化１０】
0004187937.tif 000009
【００２８】
【化１１】
0004187937.tif 000010
【００２９】
本発明の一般式（Ｉ）及び一般式（II）で表される化合物が分子内に不斉炭素を複数個有する場合、同一構造に対して複数の立体異性体が存在するが、本発明は可能性のある全ての立体異性体を示しており、複数の立体異性のうち１つだけを使用することも、あるいはそのうちの数種を混合物として使用することもできる。
【００３０】
本発明の一般式（Ｉ）及び一般式（II）で表される化合物は、それぞれ１種を用いても複数を併用しても良く、用いる化合物の数と含有させる処理組成物の種類は任意に選ぶことができる。
【００３１】
次に本発明における処理組成物について詳しく述べる。本発明における処理組成物とはハロゲン化銀カラー写真感光材料の画像形成を行うための処理に必要とされる処理組成物を表わし、具体的には発色現像組成物、漂白組成物、漂白定着組成物、定着組成物、水洗組成物及び安定化組成物が挙げられ、さらに黒白現像組成物、反転組成物及び前漂白組成物であってもよく、また上記各処理組成物は、調合処理剤組成物をも包含する。本発明の処理組成物は、好ましくは発色現像組成物及び黒白現像組成物であり,その中でも発色現像組成物である。とりわけカラープリント材料用の発色現像組成物に適用されたときに、とくに発明の効果が大きい。これらの処理組成物はタンク液または補充液として使用液濃度で準備されても、濃縮液として準備されてもよい。本発明の処理組成物が濃縮液の場合、使用に際して水と定められた比率で混合されて補充液またはタンク液として用いられる。本発明の化合物は溶液状態の組成物での析出安定性に優れることを特徴としているので、濃厚液体形態の単液あるいは調合処理剤組成物において発明の効果が大きいが、本発明の化合物を顆粒、錠剤、粉体あるいはスラリー状の各処理剤組成物に用いてもよい。
【００３２】
また本発明の組成物は添加物組成物であってもよい。添加物組成物とは、ハロゲン化銀カラー写真感光材料の画像形成を行うための処理に必要とされるタンク液または補充液に処理前または処理中に添加して写真性能を調節する機能を有する組成物である。
【００３３】
本発明の処理組成物において、一般式（Ｉ）及び一般式（II）の化合物の濃度は使用液において０．０５〜２０ｍｍｏｌ／Ｌであり、好ましくは０．１５〜１５ｍｍｏｌ／Ｌ、より好ましくは０．２〜１０ｍｍｏｌ／Ｌである。また本発明の処理組成物が水または他の処理組成物で希釈されたのち使用される場合、処理組成物中の濃度は使用液での濃度に濃縮倍率を掛けた値である。
【００３４】
本発明の画像形成法は処理工程の少なくとも１つに本発明の処理組成物を用いる。複数の工程またはすべての工程に本発明の処理組成物を用いてもよい。
【００３５】
本発明の処理組成物の製造方法にはいくつかの方法があるが、下記の３通りの方法がよい結果を与える。ただし本発明の実施にあたってはその製造方法が下記の３方法に限定されるものではない。
〔方法Ａ〕  少量の水をあらかじめ混合槽に導き、その中に構成薬品類を攪拌しながら順次投入していく方法。
〔方法Ｂ〕  あらかじめ構成薬品類を混合しておいて混合槽中に少量の水を一気に投入する方法。
〔方法Ｃ〕  構成薬品類をあらかじめ適切なグループに分けそれぞれを水または親水性有機溶媒に溶解して濃厚溶液とした後、各濃厚溶液を混合する方法。
また各方法を部分的に取り入れた製造方法も実施できる。
【００３６】
次に本発明の処理組成物が  現像組成物、漂白組成物、漂白定着組成物、定着組成物、水洗組成物及び安定化組成物、添加物組成物である場合について、各組成物について説明する。
【００３７】
本発明の発色現像組成物はカラー現像主薬を含有するが、公知の芳香族第１級アミンカラー現像薬が好ましく、特にｐ-フェニレンジアミン誘導体が好ましい。以下に代表例を示すが、これらに限定されるものではない。また、近年黒白感材の中には、カプラーが黒色に発色するように添加されており、汎用の発色現像液を用いて黒白画像を形成するものもあるが、本発明の処理組成物はこの種の感光材料にも適用される。
【００３８】
１）  Ｎ，Ｎ−ジエチル−ｐ−フェニレンジアミン
２）  ４−アミノ−Ｎ，Ｎ−ジエチル−３−メチルアニリン
３）  ４−アミノ−Ｎ−（β−ヒドロキシエチル）−Ｎ−メチルアニリン
４）  ４−アミノ−Ｎ−エチル−Ｎ−（β−ヒドロキシエチル）アニリン
５）  ４−アミノ−３−メチル−Ｎ−エチル−Ｎ−（β−ヒドロキシエチル）アニリン
６）  ４−アミノ−３−メチル−Ｎ−エチル−Ｎ−（３−ヒドロキシプロピル）アニリン
７）  ４−アミノ−３−メチル−Ｎ−エチル−Ｎ−（４−ヒドロキシブチル）アニリン
８）  ４−アミノ−Ｎ−エチル−Ｎ−（β−メタンスルホンアミドエチル）−３−メチルアニリン
９）  ４−アミノ−Ｎ，Ｎ−ジエチル−３−（β−ヒドロキシエチル）アニリン１０）  ４−アミノ−３−メチル−Ｎ−エチル−Ｎ−（β−メトキシエチル）アニリン
１１）  ４−アミノ−３−メチル−Ｎ−（β−エトキシエチル）-Ｎ−エチル−アニリン
１２）  ４−アミノ−３−メチル−Ｎ−（３−カルバモイルプロピル）-Ｎ−n−プロピル−アニリン
１３）  ４−アミノ−３−メチル−Ｎ−（４−カルバモイルブチル）-Ｎ−n−プロピル−アニリン
１４）  Ｎ−（４−アミノ−３−メチルフェニル）−３−ヒドロキシピロリジン１５）  Ｎ−（４−アミノ−３−メチルフェニル）−３−ヒドロキシメチルピロリジン
１６）  Ｎ−（４−アミノ−３−メチルフェニル）−３−ピロリジンカルボキサミド
【００３９】
上記ｐ−フェニレンジアミン誘導体のうち例示化合物５）、６）、７）、８）及び１２）が好ましく好ましく、５）及び８）が特に好ましい。これらのｐ−フエニレンジアミン誘導体は、固体状態において通常、硫酸塩、塩酸塩、ｐ−トルエンスルホン酸塩、ナフタレンジスルホン酸塩、Ｎ，Ｎ−ビス（スルホン酸エチル）ヒドロキシルアミン塩等である。また対塩をもたないフリー体として添加されてもよい。
上記芳香族第１級アミン現像主薬の濃度は使用液において４〜１００ｍｍｏｌ／Ｌであり、好ましくは６〜５０ｍｍｏｌ／Ｌであり、さらに好ましくは８〜２５ｍｍｏｌ／Ｌである。
【００４０】
本発明の発色現像液には発色現像主薬の析出を防止する化合物を添加してもよく、ポリエチレングリコール類、アリールスルホン酸類、アルキルスルホン酸類あるいは特開平１１−１７４６４３記載の尿素化合物が挙げられる。このうち写真性への影響が特に小さくかつ良好な効果を示すジエチレングリコール、ポリエチレングリコール３００、ｐ−トルエンスルホン酸及びその塩、炭素数５から９の直鎖アルキルスルホン酸及びその塩あるいはエチレン尿素が特に好ましい。
【００４１】
本発明の発色現像組成物はカラー現像主薬の空気酸化による劣化を防止する化合物すなわち保恒剤を含有することが好ましい。無機保恒剤としては亜硫酸塩及びヒドロキシルアミンが好ましく、これらは顕著な保恒作用を示し、さらに有機保恒剤と併用しることも好ましい。亜硫酸塩及びヒドロキシルアミンは対象感材によっては発色現像過程において写真特性に好ましくない影響を与える場合があるため、どちらか一方のみを含有させる場合、あるいは実質的に含有させず有機保恒剤のみを用いる場合もある。
【００４２】
有機保恒剤としては、ヒドロキシアミン誘導体、ヒドロキサム酸類、ヒドラジド類、フェノール類、モノアミン類、ジアミン類、ポリアミン類、アルコール類、縮環式アミン類、、環状アミド類、サリチル酸類、ポリエチレンイミン類、アルカノールアミン類、芳香族ポリヒドロキシ化合物類、特開平３−５６４５６号、同３−３３８４５号記載されているヒドロキシルアミン誘導体や同３−３３８４６号、同６−１４８８４１に記載の化合物が好ましい。
【００４３】
ヒドロキシルアミン誘導体はアルカノールアミン類と併用することが、連続処理における発色現像液の安定性向上の点から好ましい。ヒドロキシルアミン類と併用して特に好ましい化合物としてはトリイソプロパノールアミン、トリエタノールアミンが挙げられる。また環状アミド化合物と併用することも好ましく、その中ではε−カプロラクタムが特に好ましい。
【００４４】
本発明の発色現像組成物のｐＨは９．５〜１３．５が好ましく、それから調製されるカラー現像液はｐＨ９．０〜１２．２であり、好ましくはｐＨ９．９〜１１．２である。ｐＨを保持するためには緩衝剤を添加するのが好ましく、緩衝剤としては炭酸塩、重炭酸塩、リン酸塩、ホウ酸塩、四ホウ酸塩といった無機塩のカリウム塩またはナトリウム塩が好ましい。また５−スルホサリチル酸、β−アラニン、プロリン、トリスヒドロキシアミノメタン等の有機化合物も好ましく用いられるが、本発明はこれらの化合物に限定されない。上記緩衝剤の濃度はカラー現像補充剤の濃度として０．１ｍｏｌ／Ｌ以上、特に０．１〜０．４ｍｏｌ／Ｌとなるように含有させる。
【００４５】
本発明の発色現像組成物にはカルシルム、マグネシウム等の沈殿防止剤である各種キレート剤を添加することができる。キレート剤は１種用いても２種以上用いてもよい。好ましい化合物としてはニトリロ三酢酸、ジエチレントリアミン五酢酸、エチレンジアミン四酢酸、Ｎ、Ｎ、Ｎ−トリメチレンホスホン酸、エチレンジアミン−Ｎ、Ｎ、Ｎ’、Ｎ’−テトラメチレンスルホン酸、エチレンジアミンコハク酸（ｓ、ｓ体）、２−ホスホノブタン−１、２、４−トリカルボン酸、１−ヒドロキシエチリデン−１、１−ジホスホン酸、１、２−ジヒドロキシベンゼン−４、６−ジスルホン酸等が挙げられる。キレート剤の量はカラー現像液中の金属イオンを隠蔽するのに十分な量であれば良く、通常０．１ｇ/Ｌ〜１０ｇ／Ｌ程度になるよう添加する。
【００４６】
本発明の発色現像組成物には必要により任意の現像促進剤を添加できる。現像促進剤としてはポリアルキレンオキサイド、１−フェニル−３−ピラゾリドン類、アルコール類、カルボン酸類等が挙げられる。
【００４７】
本発明の発色現像組成物には必要により任意のカブリ防止剤を添加できる。カブリ防止剤としては塩化ナトリウム、臭化カリウム、ヨウ化カリウム等の金属ハロゲン化物及び含窒素複素環化合物に代表される有機カブリ防止剤が挙げられる。有機カブリ防止剤としては、例えばベンゾトリアゾール、６−ニトロベンズイミダゾール、５−ニトロイソインダゾール、５−メチルベンゾトリアゾール、５−ニトロベンゾトリアゾール、５−クロロベンゾトリアゾール、２−チアゾリルベンゾイミダゾール、２−チアゾリルメチルベンズイミダゾール、インダゾール、ヒドロキシアザインドリジン、アデニン等が挙げられる。またその他アルキルカルボン酸、アリールカルボン酸、糖類を必要に応じて添加してもよい。
【００４８】
本発明に適用される発色現像においてカラープリント感材の場合、処理温度は３０〜５５℃であり、好ましくは３５〜５０℃、さらに好ましくは３８〜４５℃である。現像時間は５〜９０秒であり、好ましくは８秒〜６０秒、さらに好ましくは１０秒〜４５秒である。補充量は少ない方が好ましいが感光材料１ｍ2あたり、１５〜２００ｍＬが適当であり、好ましくは２０〜１２０ｍＬ、より好ましくは３０〜６０ｍＬである。
【００４９】
カラーネガティブフイルムの場合、処理温度３０〜５５℃であり、好ましくは３５〜５０℃であり、より好ましくは３８〜４５℃である。現像時間は４５秒〜５分であり、好ましくは６０秒〜４分、さらに好ましくは９０秒〜３分１５秒である。  補充量は少ない方が好ましいが２４ｅｘｐ．１本あたり、１０〜２００ｍＬが適当であり、好ましくは１２〜６０ｍＬ、より好ましくは１５〜３０ｍＬである。
【００５０】
カラーリバーサルフイルムの場合、処理温度３２〜４５℃であり、好ましくは３５〜４０℃であり、より好ましくは３６．５〜３９．５℃である。現像時間は４分〜８分であり、好ましくは５分〜７分、さらに好ましくは５分３０秒〜６分３０秒である。  補充量は少ない方が好ましいが感光材料１ｍ2あたり、１０００〜３０００ｍＬが適当であり、好ましくは１５００−２８００ｍＬ、より好ましくは２０００−２４００ｍＬである。
【００５１】
特開平１１−１７４６４３号、特開平１１−１９４４６１号及び特開平１１−１９４４６２号に記載されている補充液を濃縮化した発色現像組成物は好ましい態様の例である。
【００５２】
本発明の漂白組成物及び漂白定着組成物において用いられる漂白剤としては、公知の漂白剤を用いることができるが、特に鉄（III）の有機錯塩（例えばアミノポリカルボン酸類もしくはクエン酸、酒石酸、リンゴ酸などの有機酸の錯塩）、過硫酸塩、過酸化水素などが好ましい。また２種以上の漂白剤を混合して用いてもよい。
【００５３】
これらのうち、鉄（III）の有機錯塩は迅速性と環境汚染防止の観点から特に好ましい。鉄（III）の有機錯塩を形成するために有用なアミノポリカルボン酸またはそれらの塩を列挙すると、生分解性のあるエチレンジアミンコハク酸（ｓ，ｓ−体）、Ｎ−（２−カルボキシラートエチル）−Ｌ−アスパラギン酸、β−アラニンジ酢酸、メチルイミノジ酢酸をはじめ、エチレンジアミン四酢酸、ジエチレントリアミン五酢酸、１、３−プロピレンジアミン四酢酸、ニトリロ三酢酸、シクロヘキサンジアミン四酢酸、イミノ二酢酸などの化合物を挙げることができる。これらの化合物はナトリウム、カリウム、リチウムまたはアンモニウム塩のいずれでもよい。またキレート剤を第二鉄錯塩形成に必要な量以上に過剰に用いてもよい。漂白液または漂白定着液中の漂白剤濃度は使用液で０．０１〜１．０ｍｏｌ／Ｌ、好ましくは０．０５〜０．５ｍｏｌ／Ｌ、より好ましくは０．１〜０．５ｍｏｌ／Ｌである。
【００５４】
漂白液または漂白定着液に緩衝剤を添加するのも好ましい。緩衝剤は意図するｐＨにより選択されるが好ましい化合物としては、コハク酸、マレイン酸、グリコール酸、マロン酸、フマル酸、コハク酸、スルホコハク酸、酢酸等の有機酸類またはイミダゾール、ジメチルイミダゾール等の有機塩基、あるいは特開平９−２１１８１９号に記載の一般式（Ａ−ａ）及び一般式（Ｂ−ｂ）で表わされる化合物が挙げられる。これらの化合物の添加量は使用液において０．００５ｍｏｌ／Ｌ〜３．０ｍｏｌ／Ｌが好ましく、さらに好ましくは０．０５ｍｏｌ／Ｌ〜１．５ｍｏｌ／Ｌである。漂白液のｐＨ領域はｐＨ２〜７が好ましく、ｐＨ３〜６が特に好ましい。漂白定着の場合ｐＨ３〜８が好ましく、ｐＨ４〜７がさらに好ましい。
【００５５】
本発明に適用されるカラープリント感材の漂白定着において、処理温度は３０〜５５℃であり、好ましくは３５〜５０℃、さらに好ましくは３８〜４５℃である。漂白定着時間は５〜９０秒であり、好ましくは８秒〜６０秒、さらに好ましくは１０秒〜４５秒である。補充量は少ない方が好ましいが感光材料１ｍ2あたり、２０〜２００ｍＬが適当であり、好ましくは２５〜１２０ｍＬ、より好ましくは３０〜５０ｍＬである。
【００５６】
カラーネガティブフイルムの漂白において、処理温度３０〜５５℃であり、好ましくは３５〜５０℃であり、より好ましくは３８〜４５℃である。漂白時間は１２秒〜２分であり、好ましくは１５秒〜１分１５秒、さらに好ましくは１８秒〜６０秒である。  補充量は少ない方が好ましいが２４ｅｘｐ．１本あたり、２．５〜５０ｍＬが適当であり、好ましくは３〜２５ｍＬ、より好ましくは４〜１２ｍＬである。
【００５７】
カラーリバーサルフイルムの漂白において、処理温度３０〜４５℃であり、好ましくは３３〜４０℃であり、より好ましくは３７〜３９℃である。漂白時間は４分〜８分であり、好ましくは５分〜７分、さらに好ましくは５分３０秒〜６分３０秒である。  補充量は少ない方が好ましいが感光材料１ｍ2あたり、１６０〜４００ｍＬが適当であり、好ましくは１８０〜３００ｍＬ、より好ましくは２００〜２５０ｍＬである。
【００５８】
本発明の漂白定着組成物及び定着組成物において使用される定着剤は、公知の定着剤、すなわちチオ硫酸ナトリウム、チオ硫酸アンモニウム等のチオ硫酸塩、チオシアン酸ナトリウム、チオシアン酸アンモニウム等のチオシアン酸塩、エチレンビスグリコール酸、３、６−ジチア−１、８−オクタンジオールや特開平４−３１７０５５号に記載のチオエーテル化合物、チオ尿素類あるいは特開平４−１４３７５７号及び特開平４−２３０７４９号記載のメソイオン化合物等の水溶性ハロゲン化銀溶解剤であり、これらを１種あるいは２種以上混合して使用することができる。定着剤としてはチオ硫酸塩、特にチオ硫酸アンモニウムの使用が好ましい。定着液または漂白定着液中の定着剤濃度は０．３〜２ｍｏｌ／Ｌが好ましく、さらに好ましくは０．５〜１．５ｍｏｌ／Ｌである。
【００５９】
漂白定着組成物または定着組成物には緩衝剤を添加するのが好ましい。好ましい緩衝剤としてはイミダゾール、ジメチルイミダゾール等のヘテロ環有機塩基、タウリン等のアミノアルキレンスルホン酸、またはコハク酸、マレイン酸、マロン酸等の２塩基酸類が挙げられる。ｐＨは３〜８が好ましく、さらにｐＨ４〜７が好ましい。
【００６０】
本発明の漂白定着組成物、定着組成物には、保恒剤として亜硫酸イオンを放出する化合物すなわち亜硫酸塩、重亜硫酸塩、メタ重亜硫酸塩等を含有することが好ましく、これらはカリウム塩、ナトリウム塩またはアンモニウム塩として添加されることが好ましい。またｐ−トルエンスルフィン酸、ｍ−カルボキシベンゼンスルフィン酸、ｐ−アミノベンゼンスルフィン酸等のアリールスルフィン酸を含有することも好ましい。これらの化合物は使用液において０．０２〜１．０ｍｏｌ／Ｌ含有させることが好ましい。保恒剤としては上記のほか、アスコルビン酸やカルボニル重亜硫酸付加物あるいはカルボニル化合物を添加してもよい。
【００６１】
本発明の漂白定着組成物、定着組成物には画像保存性向上のため安定な銀イオンを形成するメルカプトトリアゾール、アミノメルカプトトリアゾール、Ｎ−メチルメルカプトイミダゾール等のメルカプト含窒素ヘテロ環化合物や現像主薬の洗い出しを促進する特開平５−３０３１８５号に記載のビスアミジン類及びビスグアニジン類あるいはモノアミジン類を添加してもよい。その他本発明の漂白定着組成物、定着組成物にはポリエチレングリコールやポりビニルピロリドン等のポリマー類、キレート剤、消泡剤、防カビ剤等を必要に応じて添加してもよい。
【００６２】
本発明が適用されるカラープリント感材の漂白定着において、処理温度、漂白定着時間及び補充量は前述のとおりである。カラーネガティブフイルムの定着において、処理温度は３０〜５５℃であり、好ましくは３５〜５０℃であり、より好ましくは３８〜４５℃である。漂白時間は２０秒〜２分であり、好ましくは３０秒〜１分４０秒、さらに好ましくは３５秒〜１分２０秒である。  補充量は少ない方が好ましいが２４ｅｘｐ．１本あたり、４〜６０ｍＬが適当であり、好ましくは５〜４０ｍＬ、より好ましくは６〜３０ｍＬである。
【００６３】
カラーリバーサルフイルムの定着において、処理温度３０〜４５℃であり、好ましくは３３〜４０℃であり、より好ましくは３７〜３９℃である。定着時間は２分〜６分であり、好ましくは３分〜５分、さらに好ましくは３分３０秒〜４分３０秒である。  補充量は少ない方が好ましいが感光材料１ｍ2あたり、８００〜２０００ｍＬが適当であり、好ましくは９００〜１５００ｍＬ、より好ましくは１０００〜１２５０ｍＬである。
【００６４】
本発明の水洗組成物及び安定組成物には残存するマゼンタカプラーに起因する色素の退色やステインの生成を防止するためホルマリン、アセトアルデヒド、ピルビンアルデヒド、米国特許第４９２１７７９号記載のホルムアルデヒド重亜硫酸付加物あるいは特開平５−３４８８９号記載のＮ−メチロール化合物を添加してもよい。またｐ−トルエンスルフィン酸、ｍ−カルボキシベンゼンスルフィン酸、ｐ−アミノベンゼンスルフィン酸等のアリールスルフィン酸を含有することは好ましい。また水切り剤として界面活性剤、硬水軟化剤としてキレート剤、ｐＨ調整にための緩衝剤、消泡剤、防黴剤や殺菌剤等を必要に応じて添加してもよい。好ましいｐＨは４〜１０でありさらに好ましくは５〜８である。温度は感光材料の用途・特性等で種々設定しうるが、一般には２０℃〜５０℃、好ましくは２５℃〜４５℃である。
【００６５】
本発明の処理組成物を用いて処理される写真要素は、感光材料として通常のハロゲン化銀、例えば塩化銀、臭化銀、臭ヨウ化銀、塩臭化銀、塩ヨウ化銀及びそれらの混合物等のいずれも含有することができる。一つの態様では、この写真要素は少なくとも５０ｍｏｌ％以上の塩化物、より好ましくは少なくとも９０ｍｏｌ％以上の塩化銀を含有する高塩化銀要素であり例えばカラープリント感材に用いることが多い。
【００６６】
別の態様では、少なくとも一種の乳剤は主として臭化銀（少なくとも５０ｍｏｌ％の臭化銀）である。最も好ましくはこの写真要素が一種以上の色記録を有し、各色記録はカラーネガティブフイルム及びカラーリバーサルフイルムに用いられるような一種以上の主として臭化銀乳剤を有する。本発明を実施して処理される写真要素は単色要素もしくは多色要素となることができる。またこの要素には当該技術分野では公知の磁気記録層も有することができる。
【００６７】
個々の写真要素の詳細は例えばリサーチディスクロージャー（以下ＲＤと略する。）に記載されており、ＲＤ１７６４３  ２３〜２７ページ、ＲＤ１８７１６６４７〜６５０ページ、ＲＤ３０７１０５  ８６６〜８６８ページ、８７３〜８７９ページ、ＲＤ３６５４４  ５０１〜５４１ページを挙げることができる。これらは有用なハロゲン化銀乳剤（ネガまたはポジ型）及びその調製方法、各種増感剤、色素形成カプラー、画像色素安定化剤、染料、紫外線吸収剤、フィルター、バインダー、硬膜剤、可塑剤、潤滑剤、塗布助剤、表面活性剤、スタチック防止剤、マット剤、紙及びフイルム支持体、あるいはネガ像及びポジ像形成カラー要素の種々の画像形成法等に関するものである。
【００６８】
本発明の処理組成物が、調合処理剤組成物である場合は、使用液に含まれる全成分を一つの組成物に含ませた形態すなわち一剤構成とするのが有利であるが、発色現像組成物や漂白定着組成物等において構成成分を長期間接触させておくことが望ましくない場合は、構成成分を２つ以上の液剤又は固形剤あるいはその両方に分離して２剤あるいは３剤構成の処理剤組成物としてもよく、このような調合処理剤の構成を、通常国際規格ＩＳＯ５９８９の呼称に従い１、２、３パート構成と呼んでいる。本発明の処理組成物はパートに分割することにより発明の効果や特徴が失われるものではない。このうち発色現像組成物に関してはとりわけ１パート構成が望ましい。
【００６９】
本発明の処理組成物の容器には内容物に応じた公知の材料を用いることができ、容器が単一の材料から作られても、複合材料、例えば気体透過性の高い材料とアルカリに安定性の高い材料からなる複合材料によって作られていてもよい。リユース、リサイクル性の観点からは容器が単一素材で構成されることが好ましい。容器に用いられる材料は、ポリエステル樹脂、ポリオレフィン樹脂、アクリル樹脂、ＡＢＳ樹脂、エポキシ樹脂、ナイロンなどのポリアミド樹脂、ポリウレタン樹脂、ポリスチレン樹脂、ポリカーボネート樹脂、ＰＶＡ、ポリ塩化ビニル、ポリ塩化ビニリデン、ポリエチレン樹脂であり、その中でもポリエチレンテレフタレート、ポリエチレンナフタレート等のポリエステル樹脂、ポリエチレンやポリプロピレン等のポリオレフィン樹脂を単一素材として構成された容器が好ましく、その中でもポリエチレン樹脂が好ましく、さらに高密度型ポリエチレン樹脂（ＨＤＰＥ）が容器材料として好ましい。
【００７０】
本発明に用いられる容器の材料には処理組成物に影響を与えない限り、カーボンブラック、チタンホワイト、顔料、炭酸カルシウム、材料に相溶性のある可塑剤等を含ませることもできる。容器の材料として好ましくは材料中のポリエチレンの比率が８５％以上で可塑剤を含まないものがよく、さらに好ましくは材料中のポリエチレンの比率が９５％以上で可塑剤を含まないものがよい。
【００７１】
本発明の処理組成物を充填する容器の形状と構造は、目的に応じて任意に設計することができる。定型ボトルのほか、特開平１−２３５９５０号に記載の伸縮自在型、特開昭６２−１３４６２６号に記載のフレキシブル隔壁つきの容器等も使用することができる。特開平１１−２８２１４８号に記載の容器は容量、スペース効率、自立性、形状保存性及びリユース、リサイクルの点から本発明の処理組成物の容器として特に好ましい。本発明の複数の組成物が同じ形状と容積を有する単一の構成材料で作られた容器に充填され、さらにそれらの容器が単一のカートリッジ内に組み込まれているキットは好ましい態様であり、特開２０００−３０１４号に記載のカートリッジを例として挙げることができる。カートリッジにおいて処理組成物の組み合わせは任意に選ぶことができる。特開平１１−２９５８５８号、特開平１１−２８８０６８号に記載のカートリッジは現像組成物、漂白組成物、定着組成物が組み込まれた好ましい態様である。
【００７２】
【実施例】
以下に、処理組成物の沈殿析出に対する安定性及び写真特性を示すことにより、実施例によりさらに詳細に説明するが、本発明はこれらに限定されるものではない。
【００７３】
実施例
（１）  漂白組成物の調製
水                                              ４００ｍＬ
本発明の化合物                                  表１
ｍ−カルボキシベンゼンスルフィン酸              ５０．０ｇ
エチレンジアミン４酢酸鉄（III）アンモニウム     ２１０ｇ
エチレンジアミン４酢酸                          ７．５ｇ
硝酸アンモニウム                                ２４．０ｇ
水を加えて全量                                  １０００ｍＬ
ｐＨ（２５℃、硝酸とアンモニア水で調整）        ６．００
【００７４】
（２）  定着組成物の調製
本発明の化合物                                  表２
チオ硫酸アンモニウム（７５０ｇ／ｍＬ）          ５７５ｍＬ
イミダゾール                                    ７．５ｇ
エチレンジアミン４酢酸                          ９．０ｇ
亜硫酸アンモニウム                              １８３ｇ
水を加えて全量                                  １０００ｍＬ
ｐＨ（２５℃、硝酸とアンモニア水で調整）        ６．００
【００７５】
（３）  感光材料試料の調製
紙の両面をポリエチレン樹脂で被覆した支持体の表面にコロナ放電処理を行った後、ドデシルベンゼンスルホン酸ナトリウムを含むゼラチン下塗層を設け、さらに第一層から第七層を順次塗設して、以下に示す層構成のハロゲン化銀カラー写真感光材料Ｐ−１を作成した。各写真構成層用の塗布液は以下のように作成した。
【００７６】
第五層塗布液調製
シアンカプラー（ＥｘＣ）３００ｇ、色像安定剤（Ｃｐｄ−１）２５０ｇ、色像安定剤（Ｃｐｄ−１４）３０ｇ、色像安定剤（Ｃｐｄ−１５）１００ｇ、色像安定剤（Ｃｐｄ−１６）８０ｇ、色像安定剤（Ｃｐｄ−１７）５０ｇ、色像安定剤（Ｃｐｄ−１８）１０ｇを、溶媒（Ｓｏｌｖ−６）２３０ｇ及酢酸エチル３５０ｍｌに溶解し、この液をドデシルベンゼンスルホン酸ナトリウム２５ｇ含む１０％ゼラチン水溶液６５００ｇに乳化分散させて乳化分散物Ｃを調製した。
一方、塩臭化銀乳剤Ｃ（立方体、平均粒子サイズ０．４０μｍの大サイズ乳剤Ｃと０．３０μｍの小サイズ乳剤Ｃとの５：５混合物（銀モル比）。粒子サイズ分布の変動係数はそれぞれ０．０９と０。１１。各サイズ乳剤とも臭化銀０．５モル％を、塩化銀乳剤を基本とする粒子表面の一部に局在させた。）を調製した。
この乳剤には下記に示す赤感性増感色素ＧおよびＨが、銀１モルあたり大サイズ乳剤Ｃに対してはそれぞれ９．０×１０-5モルまた小サイズ乳剤Ｃに対しては１２．０×１０-5モルそれぞれ添加されている。またこの乳剤の化学熟成は硫黄増感剤と金増感剤を添加して最適に行われた。
前記乳化分散物Ｃと塩臭化銀乳剤Ｃとを混合溶解し、下記の組成となるように第五層塗布液を調製した。乳剤塗布量は銀量換算塗布量を示す。
【００７７】
第一層から第四層および第六層、第七層の塗布液も第五層塗布液と同様の方法で調製した。各層のゼラチン硬化剤としては１−オキシ−３、５−ジクロロ−ｓ−トリアジンナトリウム塩を用いた。また各層にＡｂ−１、Ａｂ−２、Ａｂ−３およびＡｂ−４をそれぞれ全量が１５．０ｍｇ／ｍ2、６０．０ｍｇ／ｍ2、５．０ｍｇ／ｍ2および１０．０ｍｇ／ｍ2となるように添加した。
【００７８】
【化１２】
0004187937.tif 000011
【００７９】
各感光性乳剤層の塩臭化銀乳剤には以下の分光増感色素をそれぞれ用いた。
青感性乳剤層
【００８０】
【化１３】
0004187937.tif 000012
【００８１】
（増感色素Ａ及びＣをハロゲン化銀１モル当たり、大サイズ乳剤に対しては０．４２×１０-4モル、小サイズ乳剤に対しては０．５０×１０-4モル添加した。増感色素Ｂをハロゲン化銀１モルあたり、大サイズ乳剤に対しては３．４×１０-4モル、小サイズ乳剤に対しては４．１×１０-4モル添加した。）
【００８２】
緑感性乳剤層
【００８３】
【化１４】
0004187937.tif 000013
【００８４】
（増感色素Ｄをハロゲン化銀１モル当たり、大サイズ乳剤に対しては３．０×１０-4モル、小サイズ乳剤に対しては３．６×１０-4モル添加した。増感色素Ｅをハロゲン化銀１モルあたり、大サイズ乳剤に対しては４．０×１０-4モル、小サイズ乳剤に対しては７．０×１０-5モル添加した。また増感色素Ｆをハロゲン化銀１モルあたり、大サイズ乳剤に対しては２．０×１０-4モル、小サイズ乳剤に対しては２．８×１０-4モル添加した。）
【００８５】
赤感性乳剤層
【００８６】
【化１５】
0004187937.tif 000014
【００８７】
（増感色素Ｇ及びＨをハロゲン化銀１モル当たり、大サイズ乳剤に対しては８．０×１０-5モル、小サイズ乳剤に対しては１０．７×１０-5モル添加した。さらに下記の化合物Ｉを赤感性乳剤層にハロゲン化銀１モルあたり３．０×１０-3モル添加した。）
【００８８】
【化１６】
0004187937.tif 000015
【００８９】
青感性乳剤層、緑感性乳剤層および赤感性乳剤層に対し１−（３−メチルウレイドフェニル）−５−メルカプトテトラゾールをそれぞれハロゲン化銀１モル当たり３．３×１０-4モル、１．０×１０-3モルおよび５．９×１０-4モル添加した。
第二層、第四層、第六層および第七層にもそれぞれ０．２ｍｇ／ｍ2、０．２ｍｇ／ｍ2、０．６ｍｇ／ｍ2、０．１ｍｇ／ｍ2 となるように添加した。
青感性乳剤層および緑感性乳剤層に対し、４−ヒドロキシ−６−メチル−１、３、３ａ、７−テトラザインデンをそれぞれハロゲン化銀１モルあたり１×１０-4モル、２×１０-4モル添加した。
赤感性乳剤層にメタクリル酸とアクリル酸ブチルの共重合体ラテックス（重量比１：１、平均分子量２０００００〜４０００００）を０．０５ｇ／ｍ2添加した。
第二層、第四層および第六層にカテコール−３、５−ジスルホン酸二ナトリウムをそれぞれ６ｍｇ／ｍ2、６ｍｇ／ｍ2、１８ｍｇ／ｍ2となるように添加した。
イラジエーション防止のために以下の染料（カッコ内は塗布量を示す。）を添加した。
【００９０】
【化１７】
0004187937.tif 000016
【００９１】
（層構成）
以下に各層構成を示す。数字は塗布料（ｇ／ｍ2）を示す。ハロゲン化銀乳剤は銀塗布換算量を示す。
支持体
ポリエチレン樹脂ラミネート紙
[第一層側のポリエチレン樹脂に白色顔料（ＴｉＯ2：含有率１６重量％、ＺｎＯ：含有率４重量％）と蛍光増白剤（４、４’−ビス（５−メチルベンゾオキサゾリル）スチルベン  含有率０．０３重量％）、青味染料（群青）を含む]
第一層（青感性乳剤層）
塩臭化銀乳剤Ａ（立方体、平均粒子サイズ０．７４μｍの大サイズ乳剤Ａと０．６５μｍの小サイズ乳剤Ａとの５：５混合物（銀モル比）。粒子サイズ分布の変動係数はそれぞれ０．０８と０．１０。サイズとも臭化銀０．３モル％を塩化銀を基体とする粒子表面の一部に局在含有させた。）        ０．２４
ゼラチン                                              １．２５
イエローカプラー（ＥｘＹ）                            ０．５７
色像安定剤（Ｃｐｄ−１）                              ０．０７
色像安定剤（Ｃｐｄ−２）                              ０．０４
色像安定剤（Ｃｐｄ−３）                              ０．０７
溶媒（Ｓｏｌｖ−１）                                  ０．２１
【００９２】
第二層（混色防止層）
ゼラチン                                              ０．９９
混色防止剤（Ｃｐｄ−４）                              ０．０９
混色防止助剤（Ｃｐｄ−５）                            ０．０１８
安定剤（Ｃｐｄ−６）                                  ０．１３
混色防止剤（Ｃｐｄ−７）                              ０．０１
溶媒（Ｓｏｌｖ−１）                                  ０．０６
溶媒（Ｓｏｌｖ−２）                                  ０．２２
【００９３】
第三層（緑感性乳剤層）
塩臭化銀乳剤Ｂ（立方体、平均粒子サイズ０．４５μｍの大サイズ乳剤Ｂと０．３５μｍの小サイズ乳剤Ｂとの１：３混合物（銀モル比）。粒子サイズ分布の変動係数はそれぞれ０．１０と０．０８。サイズとも臭化銀０．４モル％を塩化銀を基体とする粒子表面の一部に局在含有させた。）        ０．１４
ゼラチン                                              １．３６
マゼンタカプラー（ＥｘＭ）                            ０．１５
紫外線吸収剤（ＵＶ−１）                              ０．０５
紫外線吸収剤（ＵＶ−２）                              ０．０３
紫外線吸収剤（ＵＶ−３）                              ０．０２
紫外線吸収剤（ＵＶ−４）                              ０．０４
色像安定剤（Ｃｐｄ−２）                              ０．０２
混色防止剤（Ｃｐｄ−４）                              ０．００２
安定剤（Ｃｐｄ−６）                                  ０．０９
色像安定剤（Ｃｐｄ−８）                              ０．０２
色像安定剤（Ｃｐｄ−９）                              ０．０３
色像安定剤（Ｃｐｄ−１０）                            ０．０１
色像安定剤（Ｃｐｄ−１１）                            ０．０００１
溶媒（Ｓｏｌｖ−３）                                  ０．１１
溶媒（Ｓｏｌｖ−４）                                  ０．２２
溶媒（Ｓｏｌｖ−５）                                  ０．２０
【００９４】
第四層（混色防止層）
ゼラチン                                              ０．７１
混色防止剤（Ｃｐｄ−４）                              ０．０６
混色防止助剤（Ｃｐｄ−５）                            ０．０１３
安定剤（Ｃｐｄ−６）                                  ０．１０
混色防止剤（Ｃｐｄ−７）                              ０．００７
溶媒（Ｓｏｌｖ−１）                                  ０．０４
溶媒（Ｓｏｌｖ−２）                                  ０．１６
【００９５】
第五層（赤感性乳剤層）
塩臭化銀乳剤Ｃ（立方体、平均粒子サイズ０．４０μｍの大サイズ乳剤Ａと０．３０μｍの小サイズ乳剤Ａとの５：５混合物（銀モル比）。粒子サイズ分布の変動係数はそれぞれ０．０９と０．１１。サイズとも臭化銀０．５モル％を塩化銀を基体とする粒子表面の一部に局在含有させた。）        ０．２０
ゼラチン                                              １．１１
シアンカプラー（ＥｘＣ−１）                          ０．１５
シアンカプラー（ＥｘＣ−２）                          ０．１０
色像安定剤（Ｃｐｄ−１）                              ０．２５
色像安定剤（Ｃｐｄ−１４）                            ０．０３
色像安定剤（Ｃｐｄ−１５）                            ０．１０
色像安定剤（Ｃｐｄ−１６）                            ０．０８
色像安定剤（Ｃｐｄ−１７）                            ０．０５
色像安定剤（Ｃｐｄ−１８）                            ０．０１
溶媒（Ｓｏｌｖ−５）                                  ０．２３
【００９６】
第六層（紫外線吸収層）
ゼラチン                                              ０．４６
紫外線吸収剤（ＵＶ−１）                              ０．１４
紫外線吸収剤（ＵＶ−２）                              ０．０５
紫外線吸収剤（ＵＶ−３）                              ０．０４
紫外線吸収剤（ＵＶ−４）                              ０．０６
溶媒（Ｓｏｌｖ−７）                                  ０．２５
【００９７】
第七層（保護層）
ゼラチン                                              １．００
ポリビニルアルコールのアクリル変性共重合体
（変性度１７％）                                      ０．０４
流動パラフィン                                        ０．０２
界面活性剤（Ｃｐｄ−１３）                            ０．０１
【００９８】
【化１８】
0004187937.tif 000017
【００９９】
【化１９】
0004187937.tif 000018
【０１００】
【化２０】
0004187937.tif 000019
【０１０１】
【化２１】
0004187937.tif 000020
【０１０２】
【化２２】
0004187937.tif 000021
【０１０３】
【化２３】
0004187937.tif 000022
【０１０４】
【化２４】
0004187937.tif 000023
【０１０５】
【化２５】
0004187937.tif 000024
【０１０６】
【化２６】
0004187937.tif 000025
【０１０７】
（４）  現像処理
上記の感光材料試料を１２７ｍｍ幅のロール状に加工し、富士写真フイルム（株）製ミニラボプリンタープロセッサー  ＰＰ３５０を用いて感光材料試料に平均濃度のネガティブフイルムから像様露光を行い、下記処理工程にて使用した発色現像補充液の容量が発色現像タンク容量の０．５倍となるまで連続処理（ランニングテスト）を行った。
【０１０８】
処理工程            温度          時間        補充量
発色現像          ３８．５℃      ４５秒      ４５ｍＬ
漂白定着          ３８．０℃      ４５秒      ３５ｍＬ
リンス１          ３８．０℃      ２０秒        −
リンス２          ３８．０℃      ２０秒        −
リンス３          ３８．０℃      ２０秒        −
リンス４          ３８．０℃      ２０秒      １７５ｍＬ
乾燥              ８０℃
（注）
＊    感光材料１ｍ2あたりの補充量
＊＊  富士写真フイルム（株）製リンスクリーニングシステムＲＣ５０Ｄををリンス（３）に装着し、ンス（３）からリンス液を取り出してポンプにより逆浸透モジュール（ＲＣ５０Ｄ）へ送る。同槽で送られた透過水はリンス（４）に供給し、濃縮液はリンス（３）に戻す。逆浸透モジュールへの透過水量は５０〜３００ｍＬ／分を維持するようにポンプ圧を調整し、１日１０時間温調循環させた。リンスは（４）から（１）への４タンク向流方式とした。
【０１０９】
各処理液の組成は以下の通りである。
0004187937.tif 000026
【０１１０】
【化２７】
0004187937.tif 000027
【０１１１】
[漂白定着液]
漂白定着液の補充液には（１）で調製した漂白組成物と（２）で調製した定着組成物を１：１に混合し１．５倍に希釈した液を用いた。漂白定着液のタンク液は（１）で調製した漂白組成物と（２）で調製した定着組成物を１：１に混合し３倍に希釈した液を用いた。漂白組成物と定着組成物の組み合わせは表３の通りである。
【０１１２】
[リンス液]                              [タンク液]       [補充液]
塩素化イソシアヌール酸ナトリウム        ０．０２ｇ        ０．０２ｇ
脱イオン水（電導度５μｓ／ｃｍ以下）    １０００ｍＬ      １０００ｍＬ
ｐＨ（２５℃）                          ６．５            ６．５
【０１１３】
（５）  評価
▲１▼  沈殿析出に対する安定性
調製した発色現像組成物をガラスボトルに入れて  −５℃及び室温において４週間保存した。試験結果の評価は経時後の液状を視覚によって判定し、著しい沈殿を生じた水準を××、明らかに沈殿を生じた水準を×、わずかに沈殿が認められた水準を△、沈殿を生じないが濁りあるの水準を○、濁りも沈殿も認められず全く透明な水準を◎とする５段階評価を行った。
▲２▼  カラーペーパー処理での写真特性
現像処理を実施した未露光の感光材料試料について  １５０ｍｍΦ積分球を装着した日立製作所（株）製Ｕ−３５００型分光光度計を用いて反射スペクトルを測定し、４５０ｎｍの吸光度を  ＤB  とした。  次に各試料を４０℃の蒸留水を用いて５分間水洗し、乾燥した後同じ測定を行い、このときの４５０ｎｍの吸光度を  ＤBw  とした。
下式に基づきΔＤBW  を求め、残留増感色素に起因するステインの程度を評価した。
ΔＤB  ＝  ＤB  −  ＤBW
【０１１４】
▲３▼  結果
【０１１５】
【表１】
0004187937.tif 000028
【０１１６】
【表２】
0004187937.tif 000029
【０１１７】
【化２８】
0004187937.tif 000030
【０１１８】
【表３】
0004187937.tif 000031
【０１１９】
表１及び表２より本発明の処理組成物は４週間経時しても室温では全く透明、低温（−５℃）においても全く透明または濁りが認められる程度であり沈殿を生じることはない。表３より本発明の処理組成物を用いて現像処理を実施した感光材料は残留増感色素に起因するステインΔＤBが小さくすなわち白地部分の着色が少ない。これより本発明が処理後において感光材料の残留増感色素に起因するステインを低減する作用に優れ、かつ処理組成物の低温保存時において析出沈殿物の生じない組成物であることが示された。
【０１２０】
【発明の効果】
以上に詳記したように、一般式（Ｉ）及び/または一般式（II）で示されるスルホ置換ビストリアジニルアリーレンジアミン化合物またはスルホ置換ビス（トリアジニルアミノ）スチルベン化合物を含有する本発明のハロゲン化銀写真感光材料用処理組成物及びそれを用いる画像形成方法は、処理済みの感光材料に生ずる残留増感色素に起因するステインが低減され、かつ処理組成物の低温保存時においても析出沈殿物の生じなることのない優れた効果を有する。